(57)【特許請求の範囲】
【請求項１】
生地から作られた袋状物を含み、前記袋状物には封入ワイヤーの収容に供する中空部位があるブラジャーワイヤーチャネルであって、
前記中空部位に差し込み、前記袋状物と相対的に滑る芯をさらに含み、
前記芯の長さが前記袋状物の長さを下回らないことを特徴とするブラジャーワイヤーチャネル。
【請求項２】
前記芯の長さが前記袋状物の長さに等しいことを特徴とする請求項１に記載のブラジャーワイヤーチャネル。
【請求項３】
前記芯の幅と厚さが封入するワイヤーの幅と厚さより大きいことを特徴とする請求項１に記載のブラジャーワイヤーチャネル。
【請求項４】
前記芯と前記袋状物の幅比が1/3〜3/4の間にあることを特徴とする請求項１から３のいずれかに記載のブラジャーワイヤーチャネル。
【請求項５】
前記芯と前記袋状物の幅比が1/2〜2/3の間にあることを特徴とする請求項４に記載のブラジャーワイヤーチャネル。
【請求項６】
請求項１に記載のブラジャーワイヤーチャネルを採用してブラジャーを製造する方法であって、
1) 生地から作られた袋状物を含み、前記袋状物には封入ワイヤーの収容に供する中空部位があり、前記中空部位に差し込み、前記袋状物と相対的に滑る芯をさらに含み、前記芯の長さが前記袋状物の長さを下回らないことを特徴とする請求項１のブラジャーワイヤーチャネルを製造するステップと、
2) 前記ブラジャーワイヤーチャネルをブラジャーカップの底部の適切な位置に縫製するステップと、
3) 前記ブラジャーワイヤーチャネル内の前記芯を抜き出し、前記袋状物に封入ワイヤーを通す通路を形成するステップと、
4) ワイヤーを前記袋状物の通路の一端から挿入し、通路のもう一端まで貫くステップと、
5) ワイヤーが着用中にワイヤーチャネルの端から飛び出さないように、前記ブラジャーワイヤーチャネルの端部分を縫い合わせるステップと、
からなることを特徴とする方法。
【請求項７】
前記芯と前記袋状物は編んで同時に成型することを特徴とする請求項６に記載の方法。
【請求項８】
前記芯と前記袋状物を編んで同時に成型後、複数段のブラジャーカップ底部に合った長さにカットすることを特徴とする請求項７に記載の方法。
【発明の詳細な説明】
【技術分野】
【０００１】
本発明はブラジャー技術分野に関し、特にブラジャーワイヤーチャネル及び当該ブラジャーワイヤーチャネルを採用してブラジャーを製造する方法に関する。
【背景技術】
【０００２】
女性のブラジャーは女性の外見作りと健康に軽視できない役割があり、またブラジャーのカップ下側のワイヤーは乳房を支え、保護する効果がある。ワイヤー材料はブラジャーの他の部分と一緒に縫うことができないため、業界ではブラジャーワイヤーチャネルを設計し、ブラジャーワイヤーチャネルをブラジャーの他の部位と一つに縫い合わせた後、ワイヤーをブラジャーワイヤーチャネルに挿入している。こうすることで、ワイヤーをブラジャー上に置く製造工程及び時間を減らし、ワイヤーチャネルがワイヤーの硬い材質による肌への不快感を緩和し、ワイヤーの圧迫感をある程度解消している。
【０００３】
前記ワイヤーチャネルには以上の長所があるが、ワイヤーチャネルが縫製中に押しつぶされやすいため、ワイヤーチャネルが平らな状態になる。ワイヤーチャネルへのワイヤー挿入工程にて、ワイヤー挿入時に阻まれることがあり、何度も繰り返し差し込んでやっとワイヤーを挿入できできる。繰り返し差し込む中で、ワイヤーの硬い端部がワイヤーチャネルの表面にしわまたは穴を残してしまう可能性がある。さらに、ワイヤーをワイヤーチャネルに挿入後、ワイヤーチャネルはふんわり感がなく窮屈になる。しわまたは穴の形成とワイヤーチャネルの窮屈感はブラジャーの美観に影響するだけでなく、女性のブラジャー着用時の快適性に影響を与えている。そのため、ワイヤーチャネルの改良が必要である。
【発明の概要】
【０００４】
既存のブラジャーワイヤーチャネルに前述の欠点があることを鑑み、本発明はワイヤー挿入時に存在する抵抗を改善できるという特徴を有するブラジャーワイヤーチャネルを提供する。
【０００５】
前記目的を達成するため、本発明の採用する技術的解決法は以下の通り。
生地から作られた袋状物を含み、袋状物には封入ワイヤーの収容に供する中空部位があり、中空部位に差し込み、袋状物と相対的に滑る芯を含み、芯は袋状物と相対的に独立したものであり、必要に応じて芯を引き出すことができることを特徴とするブラジャーワイヤーチャネルを提供する。本特許のワイヤーチャネル縫製工程では、芯の支えにより、ワイヤーチャネルはミシンの押えによって押しつぶされない。芯を引き抜いた後、ワイヤーチャネル中間に中空部位が形成され、ワイヤーが挿入しやすくなる。中空部位の存在により、ワイヤーをワイヤーチャネルに挿入する工程では、背景技術にて記載したような表面にしわまたは穴が残る、または窮屈に感じることはない。こうすることで支えられたブラジャーはワイヤーチャネル位置にてふんわり感を保ち、着用時の快適性を高めることができる。
【０００６】
好ましくは、芯の長さが袋状物の長さを下回らず、最適な選択は前記芯の長さが袋状物の長さに等しいことである。
【０００７】
好ましくは、芯の幅と厚さが封入するワイヤーの幅と厚さより大きく、芯を袋状物から引き出した後、封入ワイヤーを挿入するのに十分な隙間を残し、かつ芯の幅と厚さが袋状物の中に簡単に差し込むことのできるものであることである。
【０００８】
好ましくは、芯を引き出した後、封入ワイヤーを簡単に袋状物に挿入できるようにするため、袋状物と封入ワイヤーの間に十分な隙間があることを保証するが、ワイヤーチャネルのワイヤー固定効果に影響が出ないように、隙間は大きすぎてはならない。そのため、前記芯と袋状物の幅比は1/3〜3/4の間とし、最適な選択は1/2〜2/3の間とする。
【０００９】
同様に封入ワイヤーを簡単に袋状物に挿入し、ワイヤーチャネルのワイヤー固定効果に影響が出ないようにするため、前記芯と袋状物の厚さ比は1/4〜1/2の間とする。
【００１０】
本発明のブラジャーワイヤーチャネルを採用したブラジャー製造の方法の方法ステップは以下の通り。
1) 生地から作られた袋状物を含み、袋状物には封入ワイヤーの収容に供する中空部位があり、さらに中空部位に差し込み、袋状物と相対的に滑る芯を含み、芯と袋状物は編んで同時に成型し、成型後に複数段のブラジャーカップ底部に合った長さにカットする本発明のブラジャーワイヤーチャネルを製造する。
2) ブラジャーワイヤーチャネルをブラジャーカップの底部の適切な位置に縫製し、アーチ型にする。
3) ブラジャーワイヤーチャネル内の芯を抜き出し、袋状物に封入ワイヤーを通す通路を形成する。
4) ワイヤーを袋状物の通路の一端から挿入し、通路のもう一端まで貫く。
5) ワイヤーが着用中にワイヤーチャネルの端から飛び出さないように、ブラジャーワイヤーチャネルの端部分を縫い合わせる。
【００１１】
本発明の有益な効果は次の通り。このブラジャーワイヤーチャネルは前記構造を採用することによって、ワイヤーを平らなブラジャーワイヤーチャネルに挿入するときに抵抗が存在する問題を解決し、ブラジャー製造中にワイヤーをワイヤーチャネルに挿入するとワイヤーチャネルの表面にしわ、空洞が残り、ワイヤーチャネルが窮屈に感じるといった現象を著しく改善し、製品の見た目がより美しくなると同時に、女性のブラジャー着用時の快適性を高める。
【図面の簡単な説明】
【００１２】
【図１】本発明の平面図である。
【図２】本発明の構造概念図である。
【図３】本発明の断面図である。
【図４】本発明の使用方法概念図である。
【発明を実施するための形態】
【００１３】
以下、具体的な実施方式を組み合わせて本発明をさらに説明する。そのうち、図面は例示性説明にのみ用い、表示するのは概念図に過ぎず、実物図ではなく、本特許に対する制限と理解してはならない。
【００１４】
図1〜3に示すように、本発明のブラジャーワイヤーチャネルは、生地から作られた袋状物を含み、袋状物には封入ワイヤーの収容に供する中空部位があり、さらに中空部位に差し込み、袋状物と相対的に滑る芯を含む。芯2と袋状物1は相対的に独立したものであり、必要性に基づいて芯2を引き出すことができる。芯2の長さは袋状物1の長さを下回らず、より最適な選択は芯の長さが袋状物の長さに等しいことである。芯幅dと厚さhは封入ワイヤーの幅と厚さより大きく、芯を袋状物の中から引き出した後、封入ワイヤーを挿入するのに十分な隙間を残し、かつ芯の幅dと厚さhは袋状物の中に簡単に差し込むことのできるものである。
【００１５】
芯を引き出した後、封入ワイヤーを簡単に袋状物に挿入できるようにするため、袋状物と封入ワイヤーの間に十分な隙間があることを保証するが、ワイヤーチャネルのワイヤー固定効果に影響が出ないように、隙間は大きすぎてはならない。そのため、前記芯の幅dと袋状物幅Dの幅比d/Dは1/3〜3/4の間とし、最適な選択は1/2〜2/3の間とする。
【００１６】
同様に封入ワイヤーを簡単に袋状物に挿入し、ワイヤーチャネルのワイヤー固定効果に影響が出ないようにするため、前記芯の厚さhと袋状物の厚さHの厚さ比h/Hは1/4〜1/2の間とする。
【００１７】
本発明のブラジャーワイヤーチャネルを採用してブラジャーを製造するには、まず生地から作られた袋状物1を含み、袋状物には封入ワイヤーの収容に供する中空部位があり、さらに中空部位に差し込み、袋状物1と相対的に滑る芯2を含み、前記芯2と袋状物1は編んで同時に成型し、成型後にワイヤーチャネルを複数段ブラジャーカップ底部に合った長さにカットする本発明のブラジャーワイヤーチャネルを製造する。
【００１８】
第二ステップ、図4（a）に示すように、ブラジャーワイヤーチャネルをブラジャーカップの底部の適切な位置に縫製し、アーチ型にする。
【００１９】
第三ステップ、図4（b）に示すように、ブラジャーワイヤーチャネル内の芯2を抜き出し、袋状物に封入ワイヤーを通す通路を形成し、その後、ワイヤー3を芯2に代わって挿入し、ワイヤー3を袋状物1の通路の一端から挿入し、通路のもう一端まで貫く。
【００２０】
最後に、図4（c）に示すように、ワイヤー3が端から飛び出さないように、ブラジャーワイヤーチャネルの端部分を縫い合わせる。
【００２１】
このブラジャーワイヤーチャネルは前記構造を採用しているため、ワイヤー挿入時に抵抗が存在する問題を改善し、ブラジャー製造中にワイヤーをワイヤーチャネルに挿入するとワイヤーチャネルの表面にしわ、穴が残り、ワイヤーチャネルが窮屈に感じるといった現象を著しく改善し、芯を引き抜いてワイヤーをワイヤーチャネルに挿入後、ワイヤーチャネルにやわらかなふんわり感をもたらし、製品の見た目がより美しくなると同時に、女性のブラジャー着用時の快適性を高める。
【００２２】
以上は本特許の好適な実施例に過ぎず、これを以て本特許の実施範囲を限定することはできない。基本的に同じ手段で本特許の目的を実現する技術的解決手段はすべて本特許の保護範囲にある。
【図１】
0006581724.tif 000002
【図２】
0006581724.tif 000003
【図３】
0006581724.tif 000004
【図４】
0006581724.tif 000005